(57)【要約】【課題】複数の移動端末にそれぞれ周波数リソースを割り当てて同一時刻に通信を行う場合に、無線受信状態の悪い周波数リソースが移動端末に割り当てられる頻度を低減ないし回避する。【解決手段】無線通信装置（基地局）ＢＳは、接続中の複数の移動端末ＵＥ＃１〜ＵＥ＃６から所定数の移動端末ＵＥ＃１〜ＵＥ＃４を選択する移動端末選択部２１、２４と、所定の周波数リソースを分割した周波数ブロックＦＢ１〜ＦＢ４を移動端末ＵＥ＃１〜ＵＥ＃４に割り当てる周波数リソース割当部２２、２５を備える。周波数リソース割当部２２、２５は、割り当て可能な周波数ブロックの各々において移動端末ＦＢ１〜ＦＢ４との間で測定した各受信品質に基づいて、受信品質が低いと判定した移動端末から優先して周波数ブロックを割り当てる。【選択図】図４
2009296325.tif 000002
【特許請求の範囲】
【請求項１】
所定の周波数リソースから移動端末に割り当てた周波数帯を用いて前記移動端末と通信を行う無線通信装置であって、
接続中の複数の移動端末から所定数の移動端末を選択する移動端末選択部と、
前記周波数リソースを分割した周波数ブロックを前記所定数の移動端末の各々に割り当てる周波数リソース割当部と、を備え、
前記周波数リソース割当部は、割り当て可能な前記周波数ブロックの各々において前記移動端末との間で測定した各受信品質に基づいて、前記受信品質が低いと判定した移動端末から前記周波数ブロックを割り当てる無線通信装置。
【請求項２】
前記周波数リソース割当部は、割り当て可能な前記周波数ブロックのうち、第１の前記移動端末との間において所定値よりも高い受信品質が測定された前記周波数ブロックの数が、第２の前記移動端末との間において所定値よりも高い受信品質が測定された前記周波数ブロックの数より少ないとき、前記第２の移動端末との間の受信品質よりも前記第１の移動端末との間における受信品質の方が低いと判定する請求項１に記載の無線通信装置。
【請求項３】
前記周波数リソース割当部は、割り当て可能な前記周波数ブロックのうち、第１の前記移動端末との間において最も高い受信品質が測定された周波数ブロックと２番目に高い受信品質が測定された周波数ブロックとの受信品質の差が、第２の前記移動端末との間において最も高い受信品質が測定された周波数ブロックと２番目に高い受信品質が測定された周波数ブロックとの受信品質の差よりも大きいとき、前記第２の移動端末との間の受信品質よりも前記第１の移動端末との間の受信品質の方が低いと判定する請求項１に記載の無線通信装置。
【請求項４】
前記周波数リソース割当部は、割り当て可能な前記周波数ブロックのうち、第１の前記移動端末との間において最も高い受信品質が測定された周波数ブロックと最も低い受信品質が測定された周波数ブロックとの受信品質の差が、第２の前記移動端末との間において最も高い受信品質が測定された周波数ブロックと最も低い受信品質が測定された周波数ブロックとの受信品質の差よりも大きいとき、前記第２の移動端末との間の受信品質よりも前記第１の移動端末との通信の受信品質の方が低いと判定する請求項１に記載の無線通信装置。
【請求項５】
前記周波数リソース割当部は、割り当て可能な前記周波数ブロックのうち、第１の前記移動端末との間において最も高い受信品質が測定された周波数ブロックの受信品質と他の周波数ブロックにおける受信品質の平均値との差が、第２の前記移動端末との間において最も高い受信品質が測定された周波数ブロックの受信品質と他の周波数ブロックにおける受信品質の平均値との差よりも大きいとき、前記第２の移動端末との間の受信品質よりも前記第１の移動端末との間の受信品質の方が低いと判定する請求項１に記載の無線通信装置。
【請求項６】
前記周波数リソース割当部は、割り当て可能な各前記周波数ブロックの各々において第１の前記移動端末との間で測定された各受信品質の指標値同士の合計値が、前記割り当て可能な各周波数ブロックの各々において第２の前記移動端末との間で測定された各受信品質の指標値同士の合計値よりも悪いとき、前記第２の移動端末との通信の受信品質よりも前記第１の移動端末との通信の受信品質の方が低いと判定する請求項１に記載の無線通信装置。
【請求項７】
請求項１〜６のいずれか一項に記載の無線通信装置と、
前記無線通信装置により割り当てられた周波数ブロックを用いて前記無線通信装置と通信を行う移動端末と、
を有する通信システム。
【請求項８】
無線通信装置が、所定の周波数リソースから移動端末との間の通信用の周波数帯を前記移動端末に割り当てる周波数リソースの割り当て方法であって、
接続中の複数の移動端末から所定数の移動端末を選択することと、
前記周波数リソースを分割した周波数ブロックを前記所定数の移動端末の各々に割り当てることと、を含み、
前記周波数ブロックの割り当ては、割り当て可能な前記周波数ブロックの各々において前記移動端末との間で測定した各受信品質に基づいて、受信品質が低いと判定した移動端末から周波数ブロックを割り当てることを含む、周波数リソースの割り当て方法。
【発明の詳細な説明】
【技術分野】
【０００１】
本発明は、移動体通信システムや無線通信装置に関し、特に複数の移動端末のそれぞれとのリンクに周波数リソースを割り当てる技術に関する。
【背景技術】
【０００２】
近年、移動体通信システムにおいてはデータ伝送速度の高速化が進んでいるが、実際に得られるスループットは、無線回線の受信品質に影響するところが大きい。このため、移動体通信システム全体として高いスループットを実現するために、ある時刻に基地局と通信を行う複数の移動端末のそれぞれに対して、受信品質の高い周波数リソースを割り当てることが好ましい。
【０００３】
移動体通信システムにおける１つの単位エリア内には、通常、複数の移動端末が存在している。同じ単位エリアに存在する複数の移動端末が、同じ時刻にデータの送受信を行う必要性が生じた場合、基地局は、あらかじめ定められた方式に基づいてデータの送受信を行う対象とする移動端末を選択し、これら選択した移動端末に対してそれぞれ周波数リソースを割り当てる。
【０００４】
周波数リソースを割り当ての際には、一般的に、プライオリティクラスや、基地局と各移動端末との間の無線受信品質、送受信データレート状況、割り当て頻度などに応じて移動端末毎の割り当て優先度が決定される。そして、決定された優先度に基づいて順次移動端末を選択して、それぞれの移動端末に対して周波数リソースが割り当てられる。
【０００５】
下記特許文献１は、受信局において、周波数帯域を分割した周波数ブロック毎に受信チャネルを測定して測定された受信チャネル状態に基づいて、送信局に通知する周波数ブロックの受信チャネル状態を示す制御情報を生成し、送信局において、受信局から通知された周波数ブロックの受信チャネル状態を示す制御情報に基づいて定めた周波数ブロック毎の無線リソースの割当に対する指標に基づいて、周波数ブロック毎に無線リソースを割り当てることを開示する。
【０００６】
下記特許文献２は、１以上のキャリア周波数を含む周波数ブロックを１つ以上利用して、より良いチャネル状態の通信相手に優先的にデータを送信することを開示する。
下記特許文献３は、無線送信装置のスケジューラが、３次元空間要素を有する無線リソースを３次元空間の各基底に対応する複数の単位無線リソースに分割し、複数のパケットフローについて、複数の単位無線リソースのそれぞれに伝送状態に基づいて決定した重み係数を重み付けした無線リソース領域を割り当てることを開示する。
【０００７】
【特許文献１】特開２００６−５０５４５号公報
【特許文献２】特開２００７−２２１１７８号公報
【特許文献３】特開２００５−１１７５７９号公報
【発明の開示】
【発明が解決しようとする課題】
【０００８】
割り当て優先度の高い移動端末から順に、各移動端末にとって無線受信状態が最も良い周波数リソースを割り当てていく場合、優先度の低い移動端末に周波数リソースを割り当てる時点で、その移動端末にとって無線受信状態の悪い周波数リソースのみが残るケースが発生し得る。この結果として、基地局は、割り当て優先度が低い移動端末とは低いスループットでデータの送受信を行わなければならなくなり、移動体通信システム全体のスループットが低下する１つの原因となる。
【０００９】
開示の装置及び方法は、複数の移動端末にそれぞれ周波数リソースを割り当ててこれら移動端末と基地局との間で同一時刻にデータの送受信を各々行う場合に、移動端末に対して無線受信状態の悪い周波数リソースが割り当てられる頻度を低減ないしは回避することを目的とする。
【課題を解決するための手段】
【００１０】
開示の無線通信装置は、所定の周波数リソースから移動端末に割り当てた周波数帯を用いて移動端末と通信を行う無線通信装置であり、接続中の複数の移動端末から所定数の移動端末を選択する移動端末選択部と、周波数リソースを分割した周波数ブロックを所定数の移動端末の各々に割り当てる周波数リソース割当部と、を備える。ここに、周波数リソース割当部は、割り当て可能な周波数ブロックの各々において移動端末との間で測定した各受信品質に基づいて、受信品質が低いと判定した移動端末から周波数ブロックを割り当てる。
【００１１】
開示の方法は、無線通信装置が、所定の周波数リソースから移動端末間の通信用の周波数帯を移動端末に割り当てる周波数リソースの割り当て方法であって、接続中の複数の移動端末から所定数の移動端末を選択して、周波数リソースを分割した周波数ブロックを所定数の移動端末の各々に割り当てる。周波数ブロックの割り当ては、割り当て可能な周波数ブロックの各々において移動端末との間で測定した各受信品質に基づいて、受信品質が低いと判定した移動端末から優先して周波数ブロックを割り当てる。
【発明の効果】
【００１２】
開示の装置及び方法によれば、周波数ブロックの各々における受信品質に基づいて無線通信装置との間の受信品質が低いと判定された移動端末から優先して周波数ブロックが割り当てられるので、個々の移動端末にとって無線受信状態の悪い周波数リソースがその移動端末に割り当てられる頻度を低減させることができる。このため、移動体通信システム全体において受信品質が良くない状態で使用される周波数リソースの量を低減することができ、システム全体としてのスループットを向上させることができる。
【発明を実施するための最良の形態】
【００１３】
以下、添付する図面を参照して実施例を説明する。図１は、通信システムのネットワーク構成図である。通信システム１は、複数の移動端末ＵＥ＃１〜ＵＥ＃６と基地局ＢＳとを含んでいる。移動端末ＵＥ＃１〜ＵＥ＃６のうち基地局ＢＳとデータの送受信を行う移動端末と基地局ＢＳとの間には、基地局ＢＳから移動端末へとデータを伝送する下りリンクチャネルと、移動端末から基地局ＢＳへ向かうデータを伝送する上りリンクチャネルがそれぞれ形成される。
【００１４】
図２及び図３は、下りリンクにおける周波数リソースを割り当てるための構成を有する基地局ＢＳと移動端末ＵＥ＃１の第１構成例を示す図である。移動端末ＵＥ＃２〜ＵＥ＃６の構成も移動端末ＵＥ＃１と同様である。
基地局ＢＳは、アプリケーション層などの上位層から受信したデータから移動端末ＵＥ＃１〜ＵＥ＃６への送信データを生成する送信データ生成部１０と、送信データ生成部１０が生成した送信データを符号化する符号化部１１と、符号化部１１が符号化したデータを変調した変調信号を生成する変調部１２と、変調部１２が生成した変調信号を、各移動端末＃ＵＥ１〜＃ＵＥ６に割り当てられた無線信号のタイムスロットや周波数にマッピングして、多重化された送信信号を生成するマッピング部１３と、多重化された送信信号を下りリンクの信号として移動端末ＵＥ＃１〜ＵＥ＃６へ送信する送信部１４を備える。
【００１５】
また基地局ＢＳは、移動端末ＵＥ＃１〜ＵＥ＃６からの上りリンク信号を受信する受信部１５と、多重化された受信信号中のタイムスロット及び周波数帯域から変調信号を取り出すデマッピング部１６と、変調信号を復調して符号化されたデータを生成する復調部１７と、符号化されたデータを復号して元データを取り出し上位層へ出力する復号部１８と、を備える。
【００１６】
一方で移動端末ＵＥ＃１は、アプリケーション層などの上位層から受信したデータから基地局ＢＳへの送信データを生成する送信データ生成部５０と、送信データ生成部５０が生成した送信データを符号化する符号化部５１と、符号化部５１が符号化したデータを変調した変調信号を生成する変調部５２と、変調部５２が生成した変調信号を、移動端末＃ＵＥ＃１に割り当てられた無線信号のタイムスロットや周波数にマッピングした送信信号を生成するマッピング部５３と、送信信号を基地局ＢＳへ上りリンクの信号として送信する送信部５４を備える。
【００１７】
また移動端末ＵＥ＃１は、基地局からの下りリンクの信号を受信する受信部５５と、多重化された受信信号のうち移動端末ＵＥ＃１に割り当てられたタイムスロット及び周波数帯域から変調信号を取り出すデマッピング部５６と、変調信号を復調して符号化されたデータを生成する復調部５７と、符号化されたデータを復号して元データを取り出し上位層へ出力する復号部５８と、を備える。
【００１８】
基地局ＢＳと移動端末ＵＥ＃１〜ＵＥ＃６との間の下りリンク及び上りリンクにおけるデータ送信において利用できる周波数リソースは、予め複数の周波数ブロックに分割されている。ここで周波数ブロックの分割数は、同じタイムスロットで周波数リソースを割り当てる移動端末の最大数以上である。
または、同じタイムスロットで同じ周波数リソースを複数の移動端末に割り当てるマルチユーザＭＩＭＯ（Multiple Input Multiple Output）送信を行う場合には、同じ周波数リソースが割り当てられる複数の移動端末をＭＵ−ＭＩＭＯグループと呼ぶこととし、同じタイムスロットで周波数リソースが割り当てられるＭＵ−ＭＩＭＯグループの最大数以上の数に周波数ブロックの分割数を定める。
【００１９】
図２に示す基地局ＢＳは、リファレンス信号と呼ばれる受信品質測定用の測定信号を生成するリファレンス信号生成部１９を備える。リファレンス信号を入力したマッピング部１３は、基地局ＢＳと移動端末ＵＥ＃１〜ＵＥ＃６との間で使用される周波数ブロックの全てのブロックにリファレンス信号をマッピングし、リファレンス信号はこれら周波数ブロックの全てにおいてそれぞれ送信される。
【００２０】
図３に示す移動端末ＵＥ＃１は、復調部５７から復調されたリファレンス信号を検出して、下りリンクのそれぞれの各周波数ブロックで受信された信号の受信品質を測定する受信品質測定部６０を備える。受信品質測定部６０は、例えば下りリンクのそれぞれの各周波数ブロックで受信された信号のＳＩＲ（信号対干渉電力比）を受信品質の指標値として測定してよい。受信品質測定部６０により測定された受信品質信号は、送信データ生成部５０によって送信信号に含められ基地局ＢＳへ送信される。
【００２１】
図２に示す基地局ＢＳは、現在、ネットワークに接続されている接続済みの移動端末ＵＥ＃１〜ＵＥ＃６を記憶する接続済み移動端末記憶部２０と、接続済み移動端末記憶部２０に記憶された複数の移動端末ＵＥ＃１〜ＵＥ＃６の中から下りリンク用の周波数ブロックを割り当てる移動端末を選択する移動端末選択部２１と、移動端末からの受信信号を復号部１８で復号することにより得られる各移動端末にて周波数ブロック毎に測定された受信品質に基づいて、移動端末選択部２１で選択された移動端末のそれぞれに、周波数ブロックのいずれかを下りリンク用の周波数リソースとして割り当てる下りリンク用周波数リソース割当部２２を備える。
移動端末選択部２１は、例えば、接続済み移動端末記憶部２０に記憶された各移動端末ＵＥ＃１〜ＵＥ＃６の加入者のプライオリティクラスや、基地局ＢＳと各移動端末ＵＥ＃１〜ＵＥ＃６との間の無線受信品質、送受信データレート状況、各移動端末ＵＥ＃１〜ＵＥ＃６への周波数リソースの割り当て頻度などに応じて、接続済み移動端末記憶部２０に記憶された複数の移動端末ＵＥ＃１〜ＵＥ＃６の中から下りリンク用の周波数ブロックを割り当てる移動端末を選択する。
【００２２】
以下、図４〜図７を参照して、基地局ＢＳ及び移動端末ＵＥ＃１〜ＵＥ＃６の各構成要素の動作を説明する。図４は、周波数リソース割当方法の第１例を示すフローチャートである。
なお、以下の各実施例では、例として、基地局ＢＳは、最大４個の移動端末に周波数リソースを同じタイムスロット中に割り当てることとし、基地局ＢＳと移動端末ＵＥ＃１〜ＵＥ＃６との間の下りリンクにおけるデータ送信において利用できる周波数リソースは、予め４つの周波数ブロックＦＢ１〜ＦＢ４に分割されている。
【００２３】
ステップＳ１０において移動端末選択部２１は、接続済み移動端末記憶部２０に記憶された複数の移動端末ＵＥ＃１〜ＵＥ＃６の中から下りリンク用の周波数ブロックを割り当てる移動端末を選択する。ここでは、移動端末ＵＥ＃１〜ＵＥ＃６の中から移動端末ＵＥ＃１〜ＵＥ＃４を選択することとして説明する。
ステップＳ１１において、各移動端末ＵＥ＃１〜ＵＥ＃４の受信品質測定部６０は、基地局ＢＳから各周波数ブロックＦＢ１〜ＦＢ４において送信されたリファレンス信号を検出して、下りリンクのそれぞれの各周波数ブロックＦＢ１〜ＦＢ４における受信品質を測定する。受信品質測定部６０により測定された受信品質信号は、移動端末ＵＥ＃１〜ＵＥ＃４の送信データ生成部５０によって送信信号に含められ基地局ＢＳへ送信され、基地局ＢＳの下りリンク用周波数リソース割当部２２に入力される。
【００２４】
ステップＳ１２において、下りリンク用周波数リソース割当部２２が、周波数ブロックＦＢ１〜ＦＢ４毎に測定された受信品質に基づいて、各周波数ブロックＦＢ１〜ＦＢ４を移動端末ＵＥ＃１〜ＵＥ＃４に割り当てる優先順位を決定する。
図５は、周波数ブロックを割り当る優先順位を決定する方法の第１例の説明図である。下りリンク用周波数リソース割当部２２は、移動端末ＵＥ＃１〜ＵＥ＃４毎に各周波数ブロックＦＢ１〜ＦＢ４において測定された受信品質をある基準値ＱＲと比較する。そして基準値ＱＲを上回る受信品質が測定された各周波数ブロックの数を、移動端末ＵＥ＃１〜ＵＥ＃４毎に決定する。
【００２５】
図５に示す例では、周波数ブロックＦＢ１及びＦＢ３において測定された受信品質が基準値ＱＲを上回っており、この移動端末において、受信品質が基準値ＱＲを上回っている周波数ブロックの数は２であると判定される。
下りリンク用周波数リソース割当部２２は、所定の基準値ＱＲを超える受信品質が測定された周波数ブロックの数がより少ない移動端末の方がより優先順位が高くなるように、各周波数ブロックＦＢ１〜ＦＢ４を移動端末ＵＥ＃１〜ＵＥ＃４に割り当てる優先順位を決定する。
すなわち、所定の基準値ＱＲを超える受信品質が測定された周波数ブロックの数がより少ない移動端末の方が、良好な受信品質を有する周波数ブロックの選択の幅が狭く、基地局ＢＳとの間の受信品質が低いと仮定できる。このため、このような移動端末に高い優先順位で周波数ブロックを与えることによって、通信システム１内で移動端末に受信品質が悪い周波数ブロックが割り当てられる頻度を低減することができる。
【００２６】
図６（Ａ）〜図６（Ｄ）はそれぞれ移動端末ＵＥ＃１〜ＵＥ＃４での各周波数ブロックにおける受信品質の一例を示すグラフであり、図６（Ｅ）は優先順位決定方法の第１例によって決定した周波数ブロックの割り当て方法を示す図である。図６（Ａ）〜図６（Ｄ）に示すとおり、移動端末ＵＥ＃１〜ＵＥ＃４では、それぞれ、４個、３個、２個及び１個の周波数ブロックにおいて受信品質が基準値ＱＲを上回っている。このため周波数ブロックの割り当てる優先順位は、移動端末ＵＥ＃４、ＵＥ＃３、ＵＥ＃２及びＵＥ＃１の順になる。
【００２７】
図７は、図４に示すフローチャートにおける優先順位決定ルーチンＳ１２の第１例を示すフローチャートである。ステップＳ２０では、移動端末ＵＥ＃１〜ＵＥ＃４について、所定の基準値ＱＲを超える受信品質が測定された周波数ブロックの数を決定する。
ステップＳ２１では、所定の基準値ＱＲを超える受信品質が測定された周波数ブロックの数がより少ない移動端末の方がより優先順位が高くなるように、各周波数ブロックＦＢ１〜ＦＢ４を移動端末ＵＥ＃１〜ＵＥ＃４に割り当てる優先順位を決定する。
【００２８】
図４に戻り、ステップＳ１３において下りリンク用周波数リソース割当部２２が、ステップＳ１２で決定した優先順位にしたがって、各周波数ブロックＦＢ１〜ＦＢ４を移動端末ＵＥ＃１〜ＵＥ＃４に割り当てる。すなわち、優先順位が高い移動端末ＵＥ＃１〜ＵＥ＃４から順に、それぞれの移動端末にとって最も高い受信品質が測定された周波数ブロックを移動端末に割り当てる。このとき、優先順位が２番目以降の移動端末には、より優先順位が高い移動端末に既に割り当てられた周波数ブロック以外の中で最も高い受信品質が測定された周波数ブロックが割り当てられる。
【００２９】
したがって、図６（Ｅ）に示すように、まず、最高の優先順位を有する移動端末ＵＥ＃４には、全ての周波数ブロックＦＢ１〜ＦＢ４のうち移動端末ＵＥ＃４にとって最も高い受信品質が測定されたＦＢ１が割り当てられ、２番目の優先順位を有する移動端末ＵＥ＃３には、残りの周波数ブロックＦＢ２〜ＦＢ４のうち移動端末ＵＥ＃３にとって最も高い受信品質が測定されたＦＢ２が割り当てられ、３番目の優先順位を有する移動端末ＵＥ＃２には、残りの周波数ブロックＦＢ３又はＦＢ４のうち移動端末ＵＥ＃２にとって最も高い受信品質が測定されたＦＢ３が割り当てられ、最低の優先順位を有する移動端末ＵＥ＃１には、残りの周波数ブロックＦＢ４が割り当てられる。
【００３０】
図２に示す下りリンク用周波数リソース割当部２２は、どの移動端末にどの周波数ブロックを割り当てたかを指定する周波数リソース割当信号をマッピング部１３及び送信データ生成部１０に出力する。
マッピング部１３は、周波数リソース割当信号に従って、各移動端末へ送信すべき信号を指定された周波数ブロックにマッピングして送信信号を生成する。送信データ生成部１０は、周波数リソース割当信号に従って、１回のタイムスロットで各移動端末へ送信するデータ量を制御する。
【００３１】
なお、ある移動端末に周波数ブロックを割り当てる際に、受信品質が所定の基準を満たさない周波数ブロックしか残っていない場合には、ステップＳ１０に戻り、この移動端末の代わりに他の移動端末を選択して、ステップＳ１１〜Ｓ１３をやり直してもよい。以下の実施例でも同様である。
【００３２】
また、開示のシステム及び方法は、マルチユーザＭＩＭＯ送信を行うシステムにおいて、各ＭＵ−ＭＩＭＯグループに属する移動端末に周波数リソースを割り当てる場合にも適用することができる。この場合は、各ＭＵ−ＭＩＭＯグループ毎に各周波数ブロックＦＢ１〜ＦＢ４における受信品質を測定して、各周波数ブロックＦＢ１〜ＦＢ４毎に測定された受信品質に基づいて各ＭＵ−ＭＩＭＯグループを各周波数ブロックＦＢ１〜ＦＢ４に割り当てればよい。以下の実施例でも同様である。
【００３３】
図８は、図４に示すフローチャートにおける優先順位決定ルーチンＳ１２の第２例の説明図である。下りリンク用周波数リソース割当部２２は、各周波数ブロックＦＢ１〜ＦＢ４において測定された受信品質のうち、最高の受信品質と２番目に高い受信品質との差ΔＱ１を、移動端末ＵＥ＃１〜ＵＥ＃４毎に決定する。
下りリンク用周波数リソース割当部２２は、受信品質の差ΔＱ１が大きい移動端末の方がより優先順位が高くなるように、各周波数ブロックＦＢ１〜ＦＢ４を移動端末ＵＥ＃１〜ＵＥ＃４に割り当てる優先順位を決定する。
【００３４】
すなわち、最高の受信品質と２番目に高い受信品質との差ΔＱ１が大きい移動端末の方が、最高の受信品質を有する周波数ブロック以外の周波数ブロックの受信品質が低いことが考えられる。したがってこのような移動端末では、良好な受信品質を有する周波数ブロックの選択の幅が狭く基地局ＢＳとの間の受信品質が低いと仮定して、高い優先順位で周波数ブロックを与える。
【００３５】
図９（Ａ）〜図９（Ｄ）はそれぞれ移動端末ＵＥ＃１〜ＵＥ＃４での各周波数ブロックにおける受信品質の一例を示すグラフであり、図９（Ｅ）は優先順位決定ルーチンＳ１２の第２例によって決定した周波数ブロックの割り当て方法を示す図である。図９（Ａ）〜図９（Ｄ）に示すとおり、移動端末ＵＥ＃４〜ＵＥ＃１の順で、受信品質の差ΔＱ１が大きい。このため周波数ブロックの割り当てる優先順位は、移動端末ＵＥ＃４、ＵＥ＃３、ＵＥ＃２及びＵＥ＃１の順になる。
【００３６】
図１０は、図４に示すフローチャートにおける優先順位決定ルーチンＳ１２の第２例のフローチャートである。ステップＳ２２では、各周波数ブロックＦＢ１〜ＦＢ４において測定された受信品質のうち、最高の受信品質と２番目に高い受信品質との差ΔＱ１を、移動端末ＵＥ＃１〜ＵＥ＃４毎に決定する。ステップＳ２３では、受信品質の差ΔＱ１が大きい移動端末が優先順位が高くなるように、各周波数ブロックＦＢ１〜ＦＢ４を移動端末ＵＥ＃１〜ＵＥ＃４に割り当てる優先順位を決定する。
【００３７】
したがって、図９（Ｅ）に示すように、まず、最高の優先順位を有する移動端末ＵＥ＃４には、全ての周波数ブロックＦＢ１〜ＦＢ４のうち移動端末ＵＥ＃４にとって最も高い受信品質が測定されたＦＢ１が割り当てられ、２番目の優先順位を有する移動端末ＵＥ＃３には、残りの周波数ブロックＦＢ２〜ＦＢ４のうち移動端末ＵＥ＃３にとって最も高い受信品質が測定されたＦＢ２が割り当てられ、３番目の優先順位を有する移動端末ＵＥ＃２には、残りの周波数ブロックＦＢ３又はＦＢ４のうち移動端末ＵＥ＃２にとって最も高い受信品質が測定されたＦＢ３が割り当てられ、最低の優先順位を有する移動端末ＵＥ＃１には、残りの周波数ブロックＦＢ４が割り当てられる。
【００３８】
図１１は、図４に示すフローチャートにおける優先順位決定ルーチンＳ１２の第３例の説明図である。下りリンク用周波数リソース割当部２２は、各周波数ブロックＦＢ１〜ＦＢ４において測定された受信品質のうち、最も高い受信品質と最も低い受信品質との差ΔＱ２を、移動端末ＵＥ＃１〜ＵＥ＃４毎に決定する。
下りリンク用周波数リソース割当部２２は、受信品質の差ΔＱ２が大きい移動端末の方がより優先順位が高くなるように、各周波数ブロックＦＢ１〜ＦＢ４を移動端末ＵＥ＃１〜ＵＥ＃４に割り当てる優先順位を決定する。
【００３９】
すなわち、最高の受信品質と最低の受信品質との差ΔＱ２が大きい移動端末の方が、最高の受信品質を有する周波数ブロック以外の周波数ブロックの受信品質が低いことが考えられる。したがってこのような移動端末では、良好な受信品質を有する周波数ブロックの選択の幅が狭く基地局ＢＳとの間の受信品質が低いと仮定して、高い優先順位で周波数ブロックを与える。
【００４０】
図１２（Ａ）〜図１２（Ｄ）はそれぞれ移動端末ＵＥ＃１〜ＵＥ＃４での各周波数ブロックにおける受信品質の一例を示すグラフであり、図１２（Ｅ）は優先順位決定ルーチンＳ１２の第３例によって決定した周波数ブロックの割り当て方法を示す図である。図１２（Ａ）〜図１２（Ｄ）に示すとおり、移動端末ＵＥ＃４〜ＵＥ＃１の順で、受信品質の差ΔＱ２が大きい。このため周波数ブロックの割り当てる優先順位は、移動端末ＵＥ＃４、ＵＥ＃３、ＵＥ＃２及びＵＥ＃１の順になる。
【００４１】
図１３は、図４に示すフローチャートにおける優先順位決定ルーチンＳ１２の第３例のフローチャートである。ステップＳ２４では、各周波数ブロックＦＢ１〜ＦＢ４において測定された受信品質のうち、最高の受信品質と最低の受信品質との差ΔＱ２を、移動端末ＵＥ＃１〜ＵＥ＃４毎に決定する。ステップＳ２５では、受信品質の差ΔＱ２が大きい移動端末の優先順位が高くなるように、各周波数ブロックＦＢ１〜ＦＢ４を移動端末ＵＥ＃１〜ＵＥ＃４に割り当てる優先順位を決定する。
【００４２】
したがって、図１２（Ｅ）に示すように、まず、最高の優先順位を有する移動端末ＵＥ＃４には、全ての周波数ブロックＦＢ１〜ＦＢ４のうち移動端末ＵＥ＃４にとって最も高い受信品質が測定されたＦＢ１が割り当てられ、２番目の優先順位を有する移動端末ＵＥ＃３には、残りの周波数ブロックＦＢ２〜ＦＢ４のうち移動端末ＵＥ＃３にとって最も高い受信品質が測定されたＦＢ２が割り当てられ、３番目の優先順位を有する移動端末ＵＥ＃２には、残りの周波数ブロックＦＢ３又はＦＢ４のうち移動端末ＵＥ＃２にとって最も高い受信品質が測定されたＦＢ３が割り当てられ、最低の優先順位を有する移動端末ＵＥ＃１には、残りの周波数ブロックＦＢ４が割り当てられる。
【００４３】
図１４は、図４に示すフローチャートにおける優先順位決定ルーチンＳ１２の第４例の説明図である。下りリンク用周波数リソース割当部２２は、各周波数ブロックＦＢ１〜ＦＢ４のうち最も高い受信品質が測定された周波数ブロック（図示の例ではＦＢ１）の受信品質と他の周波数ブロックにおける受信品質の平均値ＱＡＶとの差ΔＱ３を、移動端末ＵＥ＃１〜ＵＥ＃４毎に決定する。
【００４４】
下りリンク用周波数リソース割当部２２は、受信品質の差ΔＱ３が大きい移動端末の方がより優先順位が高くなるように、各周波数ブロックＦＢ１〜ＦＢ４を移動端末ＵＥ＃１〜ＵＥ＃４に割り当てる優先順位を決定する。
【００４５】
すなわち、受信品質が最も高い周波数ブロックにおける受信品質と他の周波数ブロックにおける受信品質の平均値ＱＡＶとの差ΔＱ３が大きい移動端末の方が、最高の受信品質を有する周波数ブロック以外の周波数ブロックの受信品質が低いことが考えられる。したがってこのような移動端末では、良好な受信品質を有する周波数ブロックの選択の幅が狭く基地局ＢＳとの間の受信品質が低いと仮定して、高い優先順位で周波数ブロックを与える。
【００４６】
図１５（Ａ）〜図１５（Ｄ）はそれぞれ移動端末ＵＥ＃１〜ＵＥ＃４での各周波数ブロックにおける受信品質の一例を示すグラフであり、図１５（Ｅ）は優先順位決定ルーチンＳ１２の第４例によって決定した周波数ブロックの割り当て方法を示す図である。図１５（Ａ）〜図１５（Ｄ）に示すとおり、移動端末ＵＥ＃４〜ＵＥ＃１の順で、受信品質の差ΔＱ３が大きい。このため周波数ブロックの割り当てる優先順位は、移動端末ＵＥ＃４、ＵＥ＃３、ＵＥ＃２及びＵＥ＃１の順になる。
【００４７】
図１６は、図４に示すフローチャートにおける優先順位決定ルーチンＳ１２の第４例のフローチャートである。ステップＳ２６では、各周波数ブロックＦＢ１〜ＦＢ４のうち最も高い受信品質が測定された周波数ブロックの受信品質と他の周波数ブロックにおける受信品質の平均値ＱＡＶとの差ΔＱ３を、移動端末ＵＥ＃１〜ＵＥ＃４毎に決定する。ステップＳ２７では、受信品質の差ΔＱ３が大きい移動端末の優先順位が高くなるように、各周波数ブロックＦＢ１〜ＦＢ４を移動端末ＵＥ＃１〜ＵＥ＃４に割り当てる優先順位を決定する。
【００４８】
したがって、図１５（Ｅ）に示すように、まず、最高の優先順位を有する移動端末ＵＥ＃４には、全ての周波数ブロックＦＢ１〜ＦＢ４のうち移動端末ＵＥ＃４にとって最も高い受信品質が測定されたＦＢ１が割り当てられ、２番目の優先順位を有する移動端末ＵＥ＃３には、残りの周波数ブロックＦＢ２〜ＦＢ４のうち移動端末ＵＥ＃３にとって最も高い受信品質が測定されたＦＢ２が割り当てられ、３番目の優先順位を有する移動端末ＵＥ＃２には、残りの周波数ブロックＦＢ３又はＦＢ４のうち移動端末ＵＥ＃２にとって最も高い受信品質が測定されたＦＢ３が割り当てられ、最低の優先順位を有する移動端末ＵＥ＃１には、残りの周波数ブロックＦＢ４が割り当てられる。
【００４９】
図１７は、図４に示すフローチャートにおける優先順位決定ルーチンＳ１２の第５例の説明図である。下りリンク用周波数リソース割当部２２は、各周波数ブロックＦＢ１〜ＦＢ４のそれぞれについて測定した各受信品質の指標値同士の合計値Ｓを、移動端末ＵＥ＃１〜ＵＥ＃４毎に決定する。図示の例では、この移動端末において各周波数ブロックＦＢ１〜ＦＢ４についてそれぞれ測定した受信品質の指標値はそれぞれ、３．０、１．５、２．６及び１．０であり、これらを合計した合計値Ｓは８．１となる。
【００５０】
下りリンク用周波数リソース割当部２２は、指標値の合計値Ｓが悪い移動端末の方がより優先順位が高くなるように、各周波数ブロックＦＢ１〜ＦＢ４を移動端末ＵＥ＃１〜ＵＥ＃４に割り当てる優先順位を決定する。
すなわち、受信品質の指標値の合計値Ｓが悪い端末の方が、良好な受信品質を有する周波数ブロックの選択の幅が狭く基地局ＢＳとの間の受信品質が低いと仮定して、高い優先順位で周波数ブロックを与える。
【００５１】
図１８（Ａ）〜図１８（Ｄ）はそれぞれ移動端末ＵＥ＃１〜ＵＥ＃４での各周波数ブロックにおける受信品質の一例を示すグラフであり、図１８（Ｅ）は優先順位決定ルーチンＳ１２の第５例によって決定した周波数ブロックの割り当て方法を示す図である。図１８（Ａ）〜図１８（Ｄ）に示すとおり、移動端末ＵＥ＃１〜ＵＥ＃４の順で、受信品質の指標値の合計値Ｓが良い。このため周波数ブロックの割り当てる優先順位は、移動端末ＵＥ＃４、ＵＥ＃３、ＵＥ＃２及びＵＥ＃１の順になる。
【００５２】
図１９は、図４に示すフローチャートにおける優先順位決定ルーチンＳ１２の第５例のフローチャートである。ステップＳ２８では、各周波数ブロックＦＢ１〜ＦＢ４のそれぞれについて測定した各受信品質の指標値同士の合計値Ｓを、移動端末ＵＥ＃１〜ＵＥ＃４毎に決定する。ステップＳ２９では、指標値の合計値Ｓが悪い移動端末の方が優先順位が高くなるように、各周波数ブロックＦＢ１〜ＦＢ４を移動端末ＵＥ＃１〜ＵＥ＃４に割り当てる優先順位を決定する。
【００５３】
したがって、図１８（Ｅ）に示すように、まず、最高の優先順位を有する移動端末ＵＥ＃４には、全ての周波数ブロックＦＢ１〜ＦＢ４のうち移動端末ＵＥ＃４にとって最も高い受信品質が測定されたＦＢ１が割り当てられ、２番目の優先順位を有する移動端末ＵＥ＃３には、残りの周波数ブロックＦＢ２〜ＦＢ４のうち移動端末ＵＥ＃３にとって最も高い受信品質が測定されたＦＢ２が割り当てられ、３番目の優先順位を有する移動端末ＵＥ＃２には、残りの周波数ブロックＦＢ３又はＦＢ４のうち移動端末ＵＥ＃２にとって最も高い受信品質が測定されたＦＢ３が割り当てられ、最低の優先順位を有する移動端末ＵＥ＃１には、残りの周波数ブロックＦＢ４が割り当てられる。
【００５４】
図２０は図４に示す方法の変形例を示すフローチャートである。図４に示すフローチャートでは、ステップＳ１２で各移動端末ＵＥ＃１〜＃ＵＥ＃４の優先順位を各々決定して、ステップＳ１３において優先順位が高い順に周波数ブロックを割り当てた。
一方で図２０に示す方法では、ステップＳ１１で選択された各移動端末ＵＥ＃１〜ＵＥ＃４の数と同じ回数が繰り返されるループ内のステップＳ１４において、下りリンク用周波数リソース割当部２２が、基地局ＢＳが移動端末ＵＥ＃１〜ＵＥ＃４に割り当て可能な全周波数ブロックＦＢ１〜ＦＢ４のうち、まだどの移動端末にも割り当てられていない各周波数ブロックにおける受信品質に基づいて、その時点で最高の優先順位を有する移動端末を決定する。
【００５５】
そして、ステップＳ１４に続く、同じ繰り返しループ内のステップＳ１５において、下りリンク用周波数リソース割当部２２が、ステップＳ１４で選択された移動端末に対し、まだどの移動端末にも割り当てられていない各周波数ブロックのうち、ステップＳ１４で選択された移動端末にとって最も高い受信品質が測定された周波数ブロックを割り当てる。
【００５６】
図２１は、図２０に示すフローチャートにおける優先順位決定ルーチンＳ１４の第１例であって示すフローチャートであって、図７に示すルーチンの変形例である。
ステップＳ３０において、下りリンク用周波数リソース割当部２２は、まだ周波数ブロックの割り当てが済んでいない移動端末のそれぞれについて、まだどの移動端末にも割り当てられていない各周波数ブロックにおける受信品質と所定の基準値ＱＲとを各々比較し、所定の基準値ＱＲを超える受信品質が測定された周波数ブロックの数を決定する。
ステップＳ３１では、下りリンク用周波数リソース割当部２２は、所定の基準値ＱＲを超える受信品質が測定された周波数ブロックの数が最も少ない移動端末を、最も優先順位が高い移動端末として決定する。
【００５７】
図２２は、図２０に示すフローチャートにおける優先順位決定ルーチンＳ１４の第２例を示すフローチャートであって、図１０に示すルーチンの変形例である。
ステップＳ３２において、下りリンク用周波数リソース割当部２２は、まだ周波数ブロックの割り当てが済んでいない移動端末のそれぞれについて、まだどの移動端末にも割り当てられていない各周波数ブロックにおいて測定された最高の受信品質と２番目に高い受信品質との差ΔＱ１を決定する。
ステップＳ３３では、下りリンク用周波数リソース割当部２２は、受信品質の差ΔＱ１が最も大きい移動端末を、最も優先順位が高い移動端末として決定する。
【００５８】
図２３は、図２０に示すフローチャートにおける優先順位決定ルーチンＳ１４の第３例を示すフローチャートであって、図１３に示すルーチンの変形例である。
ステップＳ３４において、下りリンク用周波数リソース割当部２２は、まだ周波数ブロックの割り当てが済んでいない移動端末のそれぞれについて、まだどの移動端末にも割り当てられていない各周波数ブロックにおいて測定された最高の受信品質と最も低い受信品質との差ΔＱ２を決定する。
ステップＳ３５では、下りリンク用周波数リソース割当部２２は、受信品質の差ΔＱ２が最も大きい移動端末を、最も優先順位が高い移動端末として決定する。
【００５９】
図２４は、図２０に示すフローチャートにおける優先順位決定ルーチンＳ１４の第４例を示すフローチャートであって、図１６に示すルーチンの変形例である。
ステップＳ３６において、下りリンク用周波数リソース割当部２２は、まだ周波数ブロックの割り当てが済んでいない移動端末のそれぞれについて、まだどの移動端末にも割り当てられていない各周波数ブロックのうち最高の受信品質が測定された周波数ブロックの受信品質と、他の周波数ブロックの受信品質の平均値ＱＡＶとの差ΔＱ３を決定する。
ステップＳ３７では、下りリンク用周波数リソース割当部２２は、受信品質の差ΔＱ３が最も大きい移動端末を、最も優先順位が高い移動端末として決定する。
【００６０】
図２５は、図２０に示すフローチャートにおける優先順位決定ルーチンＳ１４の第５例を示すフローチャートであって、図１９に示すルーチンの変形例である。
ステップＳ３８において、下りリンク用周波数リソース割当部２２は、まだ周波数ブロックの割り当てが済んでいない移動端末のそれぞれについて、まだどの移動端末にも割り当てられていない各周波数ブロックについてそれぞれ測定された受信品質の指標値の合計値Ｓを、移動端末毎に決定する。
ステップＳ３９では、下りリンク用周波数リソース割当部２２は、指標値の合計値Ｓが最も悪い移動端末を、最も優先順位が高い移動端末として決定する。
【００６１】
図２６及び図２７は、下りリンクにおける周波数リソースを割り当てるための構成を有する基地局ＢＳ及び移動端末ＵＥ＃１の第２構成例を示す図である。本実施例では、移動端末ＵＥ＃１の受信品質測定部６０は、復号部５８にて復号化されたデータのビット誤り率推定値（ＢＥＲ）やブロック誤り率推定値（ＢＬＥＲ）を測定する。受信品質測定部６０により測定された受信品質信号は、送信データ生成部５０によって送信信号に含められ基地局ＢＳへ送信される。
【００６２】
基地局ＢＳでは、各移動端末にて測定された受信品質が各周波数ブロック毎に記憶される。例えば、基地局ＢＳにおいて、各移動端末にて各周波数ブロック毎に測定した受信品質を格納するテーブルを接続済み移動端末記憶部２０に記憶してもよい。図２８は、各移動端末ＵＥ＃１〜ＵＥ＃ｎにおいて、各周波数ブロック１〜ｍ毎に測定した受信品質を記憶するテーブルを示す図である。
【００６３】
図２８のテーブルでは、例えば移動端末ＵＥ＃１では、周波数ブロック１〜ｍにおいてそれぞれ受信品質Ｑ１１〜Ｑ１ｍが測定されたことを示している。各移動端末に割り当てられる周波数ブロックは経時的に変化するので、時間経過に従って、各移動端末において様々な周波数ブロック毎に測定された受信品質の値が、基地局ＢＳに蓄積される。
下りリンク用周波数リソース割当部２２は、接続済み移動端末記憶部２０に記憶された、各移動端末にて各周波数ブロック毎に測定されたそれぞれの受信品質に基づいて、移動端末選択部２１で選択された移動端末のそれぞれに、周波数ブロックのいずれかを下りリンク用の周波数リソースとして割り当てる。
【００６４】
図２９は、周波数リソース割当方法の第２例を示すフローチャートである。
ステップＳ４０では、各移動端末について各周波数ブロック毎に記憶される受信品質の仮設定値（デフォルト値）が、接続済み移動端末記憶部２０に記憶される。
後述するように、ある周波数ブロックＦＢｙを用いてある移動端末ＵＥ＃ｘにデータが送信されると、このデータにおけるＢＥＲやＢＬＥＲなどの受信品質が測定され、移動端末ＵＥ＃ｘから基地局ＢＳへ送信され、接続済み移動端末記憶部２０に記憶される。
上記仮設定値は、ある移動端末ＵＥ＃ｘについてのある周波数ブロックＦＢｙで測定された受信品質情報が接続済み移動端末記憶部２０に記憶されるまで、その移動端末ＵＥ＃ｘについてのその周波数ブロックＦＢｙで測定された受信品質のデフォルト値として使用される。
【００６５】
ステップＳ４１では、ある周波数ブロックを用いてある移動端末にデータが送信される。データが送信された移動端末の受信品質測定部６０は、復号された受信データにおけるＢＥＲやＢＬＥＲなどを、下りリンクに使用された周波数ブロックにおける受信品質として測定する。測定された受信品質信号は基地局ＢＳへ送信され、ステップＳ４２において接続済み移動端末記憶部２０に記憶される。
【００６６】
繰り返しループＳ４１〜Ｓ４５が繰り返されることにより、各移動端末において様々な周波数ブロック毎に測定された受信品質の値が、接続済み移動端末記憶部２０に蓄積される。
ステップＳ４３において移動端末選択部２１は、図４を参照して説明したステップＳ１０と同様に、接続済み移動端末記憶部２０に記憶された複数の移動端末ＵＥ＃１〜ＵＥ＃６の中から下りリンク用の周波数ブロックを割り当てる移動端末を選択する。ここでは、移動端末ＵＥ＃１〜ＵＥ＃６の中から移動端末ＵＥ＃１〜ＵＥ＃４を選択することとして、以下の説明を行う。
【００６７】
ステップＳ４４及びＳ４５において下りリンク用周波数リソース割当部２２は、図４を参照して説明したステップＳ１２及びＳ１３と同様に、各移動端末ＵＥ＃１〜ＵＥ＃４に割り当てる周波数ブロックを決定する。
または、下りリンク用周波数リソース割当部２２は、図２０を参照して説明したステップＳ１４及びＳ１５と同様に各移動端末ＵＥ＃１〜ＵＥ＃４に割り当てる周波数ブロックを決定してもよい。
【００６８】
図３０及び図３１は、上りリンクにおける周波数リソースを割り当てるための構成を有する基地局ＢＳ及び移動端末ＵＥ＃１の第１構成例を示す図である。基地局ＢＳ及び移動端末ＵＥ＃１は、図２及び図３に示す構成に類似するので同様の構成要素については同じ参照符号を付して説明を省略する。
図３１に示す移動端末ＵＥ＃１は、リファレンス信号と呼ばれる受信品質測定用の測定信号を生成するリファレンス信号生成部５９を備える。リファレンス信号を入力したマッピング部５３は、基地局ＢＳと移動端末ＵＥ＃１〜ＵＥ＃６との間で使用される周波数ブロックの全てのブロックにリファレンス信号をマッピングし、リファレンス信号はこれら周波数ブロックの全てにおいてそれぞれ送信される。
【００６９】
図３０に示す基地局ＢＳは、各移動端末ＵＥ＃１〜ＵＥ＃６から送信されたリファレンス信号を復調部１７で復調した信号を検出して、上りリンクのそれぞれの各周波数ブロックにおいて各移動端末ＵＥ＃１〜ＵＥ＃６から受信した信号の受信品質を測定する受信品質測定部２３を備える。受信品質測定部２３は、例えば上りリンクのそれぞれの各周波数ブロックで受信された信号のＳＩＲ（信号対干渉電力比）を受信品質の指標値として測定してよい。
【００７０】
さらに基地局ＢＳは、接続済み移動端末記憶部２０に記憶された複数の移動端末ＵＥ＃１〜ＵＥ＃６の中から上りリンク用の周波数ブロックを割り当てる移動端末を選択する移動端末選択部２４と、受信品質測定部２３において各移動端末及び各周波数ブロック毎に測定された受信品質に基づいて、移動端末選択部２４で選択された移動端末のそれぞれに、周波数ブロックのいずれかを上りリンク用の周波数リソースとして割り当てる上りリンク用周波数リソース割当部２５を備える。
【００７１】
移動端末選択部２４は、例えば、接続済み移動端末記憶部２０に記憶された各移動端末ＵＥ＃１〜ＵＥ＃６の加入者のプライオリティクラスや、基地局ＢＳと各移動端末ＵＥ＃１〜ＵＥ＃６との間の無線受信品質、送受信データレート状況、各移動端末ＵＥ＃１〜ＵＥ＃６への周波数リソースの割り当て頻度などに応じて、接続済み移動端末記憶部２０に記憶された複数の移動端末ＵＥ＃１〜ＵＥ＃６の中から上りリンク用の周波数ブロックを割り当てる移動端末を選択する。
【００７２】
上りリンク用周波数リソース割当部２５は、どの移動端末に上りリンクのどの周波数ブロックを割り当てたかを指定する周波数リソース割当信号を送信データ生成部１０に出力し、周波数リソース割当信号は、送信データ生成部１０によって送信信号に含められ各基地局ＵＥ＃１〜ＵＥ＃４へ送信される。
図３１に示す移動端末ＵＥ＃１は、基地局ＢＳからの受信信号を復号部５８で復号することにより得られる周波数リソース割当信号を検出する周波数リソース割当信号検出部６１を備える。周波数リソース割当信号は、マッピング部５３及び送信データ生成部５０に出力する。
マッピング部５３は、周波数リソース割当信号に従って、基地局ＢＳへ送信すべき信号を指定された周波数ブロックにマッピングして送信信号を生成する。送信データ生成部５０は、周波数リソース割当信号に従って、１回のタイムスロットで基地局ＢＳへ送信するデータ量を制御する。
【００７３】
図３２は、開示の周波数リソース割当方法の第３例を示すフローチャートである。
ステップＳ５０において移動端末選択部２４は、接続済み移動端末記憶部２０に記憶された複数の移動端末ＵＥ＃１〜ＵＥ＃６の中から上りリンク用の周波数ブロックを割り当てる移動端末を選択する。ここでは、移動端末ＵＥ＃１〜ＵＥ＃６の中から移動端末ＵＥ＃１〜ＵＥ＃４を選択することとして、以下の説明を続ける。
【００７４】
ステップＳ５１において、基地局ＢＳの受信品質測定部２３は、各移動端末ＵＥ＃１〜ＵＥ＃４から基地局ＢＳへ各周波数ブロックＦＢ１〜ＦＢ４において送信されたリファレンス信号を検出して、各移動端末ＵＥ＃１〜ＵＥ＃４について上りリンクの各周波数ブロックＦＢ１〜ＦＢ４における受信品質を測定する。受信品質測定部２３により測定された受信品質信号は、上りリンク用周波数リソース割当部２５に入力される。
【００７５】
ステップＳ５２において上りリンク用周波数リソース割当部２５が、周波数ブロックＦＢ１〜ＦＢ４毎に測定された受信品質に基づいて、各周波数ブロックＦＢ１〜ＦＢ４を移動端末ＵＥ＃１〜ＵＥ＃４に割り当てる優先順位を決定し、ステップＳ５３において上りリンク用周波数リソース割当部２５が、ステップＳ５２で決定した優先順位にしたがって、各周波数ブロックＦＢ１〜ＦＢ４を移動端末ＵＥ＃１〜ＵＥ＃４に割り当てる。
【００７６】
上りリンク用周波数リソース割当部２５による優先順位の決定処理及び周波数ブロックの割当処理は、図４を参照して説明したステップＳ１２及びＳ１３における下りリンク用周波数リソース割当部２２による優先順位の決定処理及び周波数ブロックの割当処理と同様に行うことができる。
または、上りリンク用周波数リソース割当部２５は、図２０を参照して説明したステップＳ１４及びＳ１５における下りリンク用周波数リソース割当部２２の処理と同様に、優先順位の決定処理及び周波数ブロックの割当処理を行ってもよい。
【００７７】
上りリンク用周波数リソース割当部２５は、周波数リソース割当信号を送信データ生成部１０に出力し、周波数リソース割当信号は、各移動端末ＵＥ＃１〜ＵＥ＃４へ送信される。各移動端末ＵＥ＃１〜ＵＥ＃４の周波数リソース割当信号検出部６は、基地局ＢＳからの受信信号から周波数リソース割当信号を検出する。
周波数リソース割当信号に従って、マッピング部５３は基地局ＢＳへの送信信号のマッピングを行い、送信データ生成部５０は、１回のタイムスロットで基地局ＢＳへ送信するデータ量を制御する。
【００７８】
図３３は、上りリンクにおける周波数リソースを割り当てるための構成を有する基地局ＢＳの第２構成例を示す図である。対応する移動端末の構成は図３１と同様の構成でよい。本実施例では、基地局ＢＳの受信品質測定部２３は、各移動端末から送信されたデータのビット誤り率推定値（ＢＥＲ）やブロック誤り率推定値（ＢＬＥＲ）を測定する。そして基地局ＢＳにおいて、各移動端末からのデータについて測定された受信品質が各周波数ブロック毎に記憶される。例えば、基地局ＢＳにおいて、図２８に示したテーブルと同様のテーブルを、接続済み移動端末記憶部２０に記憶してもよい。
【００７９】
上りリンク用周波数リソース割当部２５は、接続済み移動端末記憶部２０に記憶された、各移動端末から各周波数ブロックで送信されたデータから測定されたそれぞれの受信品質に基づいて、移動端末選択部２４で選択された移動端末のそれぞれに、周波数ブロックのいずれかを上りリンク用の周波数リソースとして割り当てる。
【００８０】
図３４は、周波数リソース割当方法の第４例を示すフローチャートである。
ステップＳ６０では、各移動端末について周波数ブロック毎に記憶される受信品質の仮設定値（デフォルト値）が、接続済み移動端末記憶部２０に記憶される。
【００８１】
ステップＳ６１では、ある周波数ブロックを用いてある移動端末からデータが送信される。受信品質測定部２３は、復号部１８で復号された受信データにおけるＢＥＲやＢＬＥＲなどを、上りリンクに使用された周波数ブロックにおける受信品質として測定する。測定された受信品質信号はステップＳ６２において接続済み移動端末記憶部２０に記憶される。
【００８２】
ステップＳ６３において移動端末選択部２４は、図３２を参照して説明したステップＳ５０と同様に、接続済み移動端末記憶部２０に記憶された複数の移動端末ＵＥ＃１〜ＵＥ＃６の中から下りリンク用の周波数ブロックを割り当てる移動端末を選択する。ここでは、移動端末ＵＥ＃１〜ＵＥ＃６の中から移動端末ＵＥ＃１〜ＵＥ＃４を選択することとして、以下の説明を続ける。
【００８３】
ステップＳ６４において上りリンク用周波数リソース割当部２５が、各周波数ブロックＦＢ１〜ＦＢ４毎に測定された受信品質に基づいて、各周波数ブロックＦＢ１〜ＦＢ４を移動端末ＵＥ＃１〜ＵＥ＃４に割り当てる優先順位を決定し、ステップＳ６５において上りリンク用周波数リソース割当部２５が、ステップＳ６４で決定した優先順位にしたがって、各周波数ブロックＦＢ１〜ＦＢ４を移動端末ＵＥ＃１〜ＵＥ＃４に割り当てる。
【００８４】
上りリンク用周波数リソース割当部２５による優先順位の決定処理及び周波数ブロックの割当処理は、図４を参照して説明したステップＳ１２及びＳ１３における下りリンク用周波数リソース割当部２２による優先順位の決定処理及び周波数ブロックの割当処理と同様に行うことができる。
または、上りリンク用周波数リソース割当部２５は、図２０を参照して説明したステップＳ１４及びＳ１５における下りリンク用周波数リソース割当部２２の処理と同様に、優先順位の決定処理及び周波数ブロックの割当処理を行ってもよい。
【００８５】
以上の実施例を含む実施形態に関し、更に以下の付記を開示する。
【００８６】
（付記１）
所定の周波数リソースから移動端末に割り当てた周波数帯を用いて前記移動端末と通信を行う無線通信装置であって、
接続中の複数の移動端末から所定数の移動端末を選択する移動端末選択部と、
前記周波数リソースを分割した周波数ブロックを前記所定数の移動端末の各々に割り当てる周波数リソース割当部と、を備え、
前記周波数リソース割当部は、割り当て可能な前記周波数ブロックの各々において前記移動端末との間で測定した各受信品質に基づいて、前記受信品質が低いと判定した移動端末から前記周波数ブロックを割り当てる無線通信装置。
【００８７】
（付記２）
前記周波数リソース割当部は、割り当て可能な前記周波数ブロックのうち、第１の前記移動端末との間において所定値よりも高い受信品質が測定された前記周波数ブロックの数が、第２の前記移動端末との間において所定値よりも高い受信品質が測定された前記周波数ブロックの数より少ないとき、前記第２の移動端末との間の受信品質よりも前記第１の移動端末との間における受信品質の方が低いと判定する付記１に記載の無線通信装置。
【００８８】
（付記３）
前記周波数リソース割当部は、割り当て可能な前記周波数ブロックのうち、第１の前記移動端末との間において最も高い受信品質が測定された周波数ブロックと２番目に高い受信品質が測定された周波数ブロックとの受信品質の差が、第２の前記移動端末との間において最も高い受信品質が測定された周波数ブロックと２番目に高い受信品質が測定された周波数ブロックとの受信品質の差よりも大きいとき、前記第２の移動端末との間の受信品質よりも前記第１の移動端末との間の受信品質の方が低いと判定する付記１に記載の無線通信装置。
【００８９】
（付記４）
前記周波数リソース割当部は、割り当て可能な前記周波数ブロックのうち、第１の前記移動端末との間において最も高い受信品質が測定された周波数ブロックと最も低い受信品質が測定された周波数ブロックとの受信品質の差が、第２の前記移動端末との間において最も高い受信品質が測定された周波数ブロックと最も低い受信品質が測定された周波数ブロックとの受信品質の差よりも大きいとき、前記第２の移動端末との間の受信品質よりも前記第１の移動端末との通信の受信品質の方が低いと判定する付記１に記載の無線通信装置。
【００９０】
（付記５）
前記周波数リソース割当部は、割り当て可能な前記周波数ブロックのうち、第１の前記移動端末との間において最も高い受信品質が測定された周波数ブロックの受信品質と他の周波数ブロックにおける受信品質の平均値との差が、第２の前記移動端末との間において最も高い受信品質が測定された周波数ブロックの受信品質と他の周波数ブロックにおける受信品質の平均値との差よりも大きいとき、前記第２の移動端末との間の受信品質よりも前記第１の移動端末との間の受信品質の方が低いと判定する付記１に記載の無線通信装置。
【００９１】
（付記６）
前記周波数リソース割当部は、割り当て可能な各前記周波数ブロックの各々において第１の前記移動端末との間で測定された各受信品質の指標値同士の合計値が、前記割り当て可能な各周波数ブロックの各々において第２の前記移動端末との間で測定された各受信品質の指標値同士の合計値よりも悪いとき、前記第２の移動端末との通信の受信品質よりも前記第１の移動端末との通信の受信品質の方が低いと判定する付記１に記載の無線通信装置。
【００９２】
（付記７）
付記１〜６のいずれか一項に記載の無線通信装置と、
前記無線通信装置により割り当てられた周波数ブロックを用いて前記無線通信装置と通信を行う移動端末と、
を有する通信システム。
【００９３】
（付記８）
前記移動端末は、前記周波数ブロックの各々における下りリンクの受信品質を測定する受信品質測定部と、測定された受信品質を前記無線通信装置へ送信する送信部と、を備え、
前記周波数リソース割当部は、前記移動端末により測定された受信品質に基づいて下りリンクにおける前記周波数ブロックの割り当てを行う付記７に記載の通信システム。
【００９４】
（付記９）
前記無線通信装置は、
前記周波数ブロックの各々における上りリンクの受信品質を測定する受信品質測定部と、
前記受信品質測定部により測定された受信品質に基づいて前記周波数リソース割当部によって前記移動端末に割り当てられた上りリンクの前記周波数ブロックを示す周波数リソース割当信号を前記移動端末に送信する送信部と、を備え、
前記移動端末は、
前記無線通信装置からの受信信号から周波数リソース割当信号を検出する周波数リソース割当信号検出部と、
検出された前記周波数リソース割当信号に指示される周波数ブロックに、送信信号をマッピングするマッピング部と、
を備える付記７に記載の通信システム。
【００９５】
（付記１０）
無線通信装置が、所定の周波数リソースから移動端末間の通信用の周波数帯を前記移動端末に割り当てる周波数リソースの割り当て方法であって、
接続中の複数の移動端末から所定数の移動端末を選択することと、
前記周波数リソースを分割した周波数ブロックを前記所定数の移動端末の各々に割り当てることと、を含み、
前記周波数ブロックの割り当ては、割り当て可能な前記周波数ブロックの各々において前記移動端末との間で測定した各受信品質に基づいて、受信品質が低いと判定した移動端末から周波数ブロックを割り当てることを含む、周波数リソースの割り当て方法。
【００９６】
（付記１１）
前記周波数リソース割当部は、割り当て可能な前記周波数ブロックのうち、第１の前記移動端末との間において所定値よりも高い受信品質が測定された前記周波数ブロックの数が、第２の前記移動端末との間において所定値よりも高い受信品質が測定された前記周波数ブロックの数より少ないとき、前記第２の移動端末との間における受信品質よりも前記第１の移動端末との間における受信品質の方が低いと判定する付記１０に記載の周波数リソースの割り当て方法。
【００９７】
（付記１２）
前記周波数リソース割当部は、割り当て可能な前記周波数ブロックのうち、第１の前記移動端末との間において最も高い受信品質が測定された周波数ブロックと２番目に高い受信品質が測定された周波数ブロックとの受信品質の差が、第２の前記移動端末との間において最も高い受信品質が測定された周波数ブロックと２番目に高い受信品質が測定された周波数ブロックとの受信品質の差よりも大きいとき、前記第２の移動端末との間の受信品質よりも前記第１の移動端末との間の受信品質の方が低いと判定する付記１０に記載の周波数リソースの割り当て方法。
【００９８】
（付記１３）
前記周波数リソース割当部は、割り当て可能な前記周波数ブロックのうち、第１の前記移動端末との間において最も高い受信品質が測定された周波数ブロックと最も低い受信品質が測定された周波数ブロックとの受信品質の差が、第２の前記移動端末との間において最も高い受信品質が測定された周波数ブロックと最も低い受信品質が測定された周波数ブロックとの受信品質の差よりも大きいとき、前記第２の移動端末との間の受信品質よりも前記第１の移動端末との通信の受信品質の方が低いと判定する付記１０に記載の周波数リソースの割り当て方法。
【００９９】
（付記１４）
前記周波数リソース割当部は、割り当て可能な前記周波数ブロックのうち、第１の前記移動端末との間において最も高い受信品質が測定された周波数ブロックの受信品質と他の周波数ブロックにおける受信品質の平均値との差が、第２の前記移動端末との間において最も高い受信品質が測定された周波数ブロックの受信品質と他の周波数ブロックにおける受信品質の平均値との差よりも大きいとき、前記第２の移動端末との間の受信品質よりも前記第１の移動端末との間の受信品質の方が低いと判定する付記１０に記載の周波数リソースの割り当て方法。
【０１００】
（付記１５）
前記周波数リソース割当部は、割り当て可能な各前記周波数ブロックの各々において第１の前記移動端末との間で測定された各受信品質の指標値同士の合計値が、前記割り当て可能な各周波数ブロックの各々において第２の前記移動端末との間で測定された各受信品質の指標値同士の合計値よりも悪いとき、前記第２の移動端末との通信の受信品質よりも前記第１の移動端末との通信の受信品質の方が低いと判定する付記１０に記載の周波数リソースの割り当て方法。
（付記１６）
前記移動端末が、前記周波数ブロックの各々における下りリンクの受信品質を測定して、測定された前記下りリンクの受信品質を前記無線通信装置へ送信し、
前記無線通信装置が、前記下りリンクの受信品質に基づいて下りリンクにおける前記周波数ブロックの割り当てを行う付記１０に記載の周波数リソースの割り当て方法。
【０１０１】
（付記１７）
前記無線通信装置が、前記周波数ブロックの各々における上りリンクの受信品質を測定し、該上りリンクの受信品質に基づいて前記移動端末に割り当てられた上りリンクの前記周波数ブロックを示す周波数リソース割当信号を前記移動端末に送信し、
前記移動端末が、前記無線通信装置からの受信信号から周波数リソース割当信号を検出して、前記周波数リソース割当信号に指示される周波数ブロックに、送信信号をマッピングする付記１０に記載の周波数リソースの割り当て方法。
【図面の簡単な説明】
【０１０２】
【図１】通信システムのネットワーク構成図である。
【図２】下りリンクにおける周波数リソースを割り当てるための構成を有する基地局の第１構成例を示す図である。
【図３】下りリンクにおける周波数リソースを割り当てるための構成を有する移動端末の第１構成例を示す図である。
【図４】周波数リソース割当方法の第１例を示すフローチャートである。
【図５】図４に示すフローチャートにおける優先順位決定ルーチンの第１例の説明図である。
【図６】（Ａ）〜（Ｄ）はそれぞれ移動端末ＵＥ＃１〜ＵＥ＃４での各周波数ブロックにおける受信品質の一例を示すグラフであり、（Ｅ）は優先順位決定ルーチンの第１例によって決定した周波数ブロックの割り当て方法を示す図である。
【図７】図４に示すフローチャートにおける優先順位決定ルーチンの第１例を示すフローチャートである。
【図８】図４に示すフローチャートにおける優先順位決定ルーチンの第２例の説明図である。
【図９】（Ａ）〜（Ｄ）はそれぞれ移動端末ＵＥ＃１〜ＵＥ＃４での各周波数ブロックにおける受信品質の一例を示すグラフであり、（Ｅ）は優先順位決定ルーチンの第２例によって決定した周波数ブロックの割り当て方法を示す図である。
【図１０】図４に示すフローチャートにおける優先順位決定ルーチンの第２例のフローチャートである。
【図１１】図４に示すフローチャートにおける優先順位決定ルーチンの第３例の説明図である。
【図１２】（Ａ）〜（Ｄ）はそれぞれ移動端末ＵＥ＃１〜ＵＥ＃４での各周波数ブロックにおける受信品質の一例を示すグラフであり、（Ｅ）は優先順位決定ルーチンの第３例によって決定した周波数ブロックの割り当て方法を示す図である。
【図１３】図４に示すフローチャートにおける優先順位決定ルーチンの第３例のフローチャートである。
【図１４】図４に示すフローチャートにおける優先順位決定ルーチンの第４例の説明図である。
【図１５】（Ａ）〜（Ｄ）はそれぞれ移動端末ＵＥ＃１〜ＵＥ＃４での各周波数ブロックにおける受信品質の一例を示すグラフであり、（Ｅ）は優先順位決定ルーチンの第４例によって決定した周波数ブロックの割り当て方法を示す図である。
【図１６】図４に示すフローチャートにおける優先順位決定ルーチンの第４例のフローチャートである。
【図１７】図４に示すフローチャートにおける優先順位決定ルーチンの第５例の説明図である。
【図１８】（Ａ）〜（Ｄ）はそれぞれ移動端末ＵＥ＃１〜ＵＥ＃４での各周波数ブロックにおける受信品質の一例を示すグラフであり、（Ｅ）は優先順位決定ルーチンの第５例によって決定した周波数ブロックの割り当て方法を示す図である。
【図１９】図４に示すフローチャートにおける優先順位決定ルーチンの第５例のフローチャートである。
【図２０】図４に示す方法の変形例を示すフローチャートである。
【図２１】図２０に示すフローチャートにおける優先順位決定ルーチンの第１例を示すフローチャートである。
【図２２】図２０に示すフローチャートにおける優先順位決定ルーチンの第２例を示すフローチャートである。
【図２３】図２０に示すフローチャートにおける優先順位決定ルーチンの第３例を示すフローチャートである。
【図２４】図２０に示すフローチャートにおける優先順位決定ルーチンの第４例を示すフローチャートである。
【図２５】図２０に示すフローチャートにおける優先順位決定ルーチンの第５例を示すフローチャートである。
【図２６】下りリンクにおける周波数リソースを割り当てるための構成を有する基地局の第２構成例を示す図である。
【図２７】下りリンクにおける周波数リソースを割り当てるための構成を有する移動端末の第２構成例を示す図である。
【図２８】各移動端末ＵＥ＃１〜ＵＥ＃ｎにおいて、各周波数ブロック１〜ｍ毎に測定した受信品質を記憶するテーブルを示す図である。
【図２９】周波数リソース割当方法の第２例を示すフローチャートである。
【図３０】上りリンクにおける周波数リソースを割り当てるための構成を有する基地局の第１構成例を示す図である。
【図３１】上りリンクにおける周波数リソースを割り当てるための構成を有する移動端末の第１構成例を示す図である。
【図３２】周波数リソース割当方法の第３例を示すフローチャートである。
【図３３】上りリンクにおける周波数リソースを割り当てるための構成を有する基地局の第２構成例を示す図である。
【図３４】周波数リソース割当方法の第４例を示すフローチャートである。
【符号の説明】
【０１０３】
１    通信システム
ＢＳ    基地局
ＵＥ＃１〜ＵＥ＃６    移動端末
【図１】
2009296325.tif 000003
【図２】
2009296325.tif 000004
【図３】
2009296325.tif 000005
【図４】
2009296325.tif 000006
【図５】
2009296325.tif 000007
【図６】
2009296325.tif 000008
【図７】
2009296325.tif 000009
【図８】
2009296325.tif 000010
【図９】
2009296325.tif 000011
【図１０】
2009296325.tif 000012
【図１１】
2009296325.tif 000013
【図１２】
2009296325.tif 000014
【図１３】
2009296325.tif 000015
【図１４】
2009296325.tif 000016
【図１５】
2009296325.tif 000017
【図１６】
2009296325.tif 000018
【図１７】
2009296325.tif 000019
【図１８】
2009296325.tif 000020
【図１９】
2009296325.tif 000021
【図２０】
2009296325.tif 000022
【図２１】
2009296325.tif 000023
【図２２】
2009296325.tif 000024
【図２３】
2009296325.tif 000025
【図２４】
2009296325.tif 000026
【図２５】
2009296325.tif 000027
【図２６】
2009296325.tif 000028
【図２７】
2009296325.tif 000029
【図２８】
2009296325.tif 000030
【図２９】
2009296325.tif 000031
【図３０】
2009296325.tif 000032
【図３１】
2009296325.tif 000033
【図３２】
2009296325.tif 000034
【図３３】
2009296325.tif 000035
【図３４】
2009296325.tif 000036